(57)【要約】      （修正有）【課題】仏壇内天板部に照明装置を備えた照明装置のメンテナンスを容易にした照明装置付きの仏壇を提供する。【解決手段】天板部を、仏壇本体側に固定された下部側天板１３Ａと、該下部側天板１３Ａの上に着脱可能に重合状態で載置される上部側天板１３Ｂと、上部側天板１３Ｂの下面側に取り付けられた照明装置２０と、下部側天板１３Ａに設けられた照明装置２０配置用の開口部１３１とから構成し、下部側天板１３Ａと上部側天板１３Ｂの重合状態において照明装置２０を備えた一枚の天板構造を形成するとともに、上部側天板１３Ｂを取り外すことによって照明装置２０の点検を容易にした。【選択図】図６
0003210652.tif 000002
【実用新案登録請求の範囲】
【請求項１】
天板部を、仏壇本体側に固定された下部側天板と、該下部側天板の上に着脱可能に重合状態で載置される上部側天板と、上記上部側天板の下面側に取り付けられた照明装置と、上記下部側天板に設けられた上記照明装置配置用の開口部とから構成し、上記下部側天板と上部側天板の重合状態において照明装置を備えた一枚の天板構造を形成するとともに、上部側天板を取り外すことによって照明装置の点検を可能にしたことを特徴とする照明装置付き仏壇。
【請求項２】
上記照明装置配置用の開口部には、当該開口部の上部側開口面よりも所定寸法上方に突出した位置決めおよび係止部材が設けられていることを特徴とする請求項１記載の照明装置付き仏壇。
【請求項３】
上記位置決めおよび係止部材は、上記照明装置配置用の開口部の前部側に位置して設けられ、当該開口部の下部側開口面よりも所定寸法下方に突出していることを特徴とする請求項２記載の照明装置付き仏壇。
【請求項４】
上記下部側天板と上部側天板の相互の対向面には吸着用のマグネット部材が設けられており、該マグネット部材によって吸着一体化されるようになっていることを特徴とする請求項１，２又は３記載の照明装置付き仏壇。
【考案の詳細な説明】
【技術分野】
【０００１】
この出願の考案は、仏壇の上部に仏壇の内部を照明する照明装置を備えた仏壇の構造に関するものである。
【背景技術】
【０００２】
一般に仏壇の上部には、仏壇の内部を照明する照明装置が設けられている。特に最近需要が増えている小型の仏壇に、そのようなタイプのものが多い。
【０００３】
このようなタイプの仏壇の場合、上記照明装置は当該仏壇の天板の下面側の奥に取り付けられ、その前側に照明装置が見えないように何らかの目隠し用の遮蔽部材が設けられているのが通常である（たとえば、特許文献１の仏壇の構成を参照）。
【先行技術文献】
【特許文献】
【０００４】
【特許文献１】実用新案登録第３２０７８２０号
【考案の概要】
【考案が解決しようとする課題】
【０００５】
最近では照明装置の光源として、寿命が長く、耐久性のあるＬＥＤが用いられることが多い。したがって、白熱電球ほどの頻度でのメンテナンスは必要でないとは言える。しかし、ＬＥＤと言っても決して故障しないわけではなく、玉切れや配線部、取り付け部、接続部の異常などを含めて、メンテナンスの必要性は予想以上に高い。
【０００６】
特に、ＬＥＤを利用した照明装置の場合、複数個のＬＥＤを所定の間隔を置いて直線的に長く配列し、それをテープ構造のものに形成したものが採用されており、このような照明装置の場合、１〜２個のＬＥＤが点灯しなくなっただけでも、仏壇内部の明るさが不均一になる。また、採用される光源はＬＥＤだけとは限らず、必要に応じて寿命の短い白熱電球なども採用される。
【０００７】
それにも拘わらず、上記のように照明装置が当該仏壇の天板の下面側の奥に位置して取り付けられ、その前側に目隠し用の遮蔽部材を設ける構成の場合、製造時における照明装置の設置が容易でないだけでなく、照明装置故障時における照明装置の取り外し等のメンテナンス作業が容易ではなく、狭い仏壇内部での点検修理作業に相当な困難を伴う問題があった。
【０００８】
この出願の考案は、このような問題を解決するためになされたもので、仏壇の天板部を仏壇本体側に固定された下部側天板とこの下部側天板上に着脱可能に載置される上部側天板との重板構造にし、上部側天板の下面側に照明装置、下部側天板に同照明装置配設用の開口部を設けて相互に重合することによって、照明装置の設置と取り外しを容易にした照明装置付きの仏壇を提供することを目的とするものである。
【課題を解決するための手段】
【０００９】
この出願の考案は、以上の課題を解決するために、次のような課題解決手段を備えて構成されている。
【００１０】
（１）請求項１の考案の課題解決手段
この考案の課題解決手段は、天板部を、仏壇本体側に固定された下部側天板と、該下部側天板の上に着脱可能に重合状態で載置される上部側天板と、上記上部側天板の下面側に取り付けられた照明装置と、上記下部側天板に設けられた上記照明装置配置用の開口部とから構成し、上記下部側天板と上部側天板の重合状態において照明装置を備えた一枚の天板構造を形成するとともに、上部側天板を取り外すことによって照明装置の点検を可能にしたことを特徴としている。
【００１１】
このような構成によると、上記下部側天板と上部側天板を重合するだけで照明装置を備えた一枚の天板構造を形成することができるとともに、重合された上部側天板を取り外すことによって容易に照明装置の点検を行うことができる。
【００１２】
したがって、製造時における仏壇に対する照明装置の設置作業が容易になるとともに、設置後の照明装置故障時のメンテナンス作業が容易になる。
【００１３】
（２）請求項２の考案の課題解決手段
この考案の課題解決手段は、上記請求項１の考案の課題解決手段において、上記照明装置配置用の開口部には、当該開口部の上部側開口面よりも所定寸法上方に突出した位置決めおよび係止部材が設けられていることを特徴としている。
【００１４】
このような構成によると、上記下部側天板と上部側天板を重合する時の位置決めが容易になり、また重合後の固定状態が安定する。
【００１５】
（３）請求項３の考案の課題解決手段
この考案の課題解決手段は、上記請求項２の考案の課題解決手段において、上記位置決めおよび係止部材は、上記照明装置配置用の開口部の前部側に位置して設けられ、当該開口部の下部側開口面よりも所定寸法下方に突出していることを特徴としている。
【００１６】
このような構成によると、上記位置決めおよび係止部材が、上記のような上部側天板の位置決め固定だけではなく、設置された照明装置の遮蔽機能を果たし、また同部分の構成次第で仏壇デザインのバリエーションを拡大することができる。
【００１７】
（４）請求項４の考案の課題解決手段
この考案の課題解決手段は、上記請求項１，２又は３の考案の課題解決手段において、上記下部側天板と上部側天板の相互の対向面には吸着用のマグネット部材が設けられており、該マグネット部材によって吸着一体化されるようになっていることを特徴としている。
【００１８】
このような構成によると、上記位置決めおよび係止部材だけでは規制できない上部側天板の上方側への分離やガタツキを確実に阻止することができる。
【考案の効果】
【００１９】
以上の結果、この出願の考案によれば、従来の照明装置付き仏壇の問題を確実に解消し、照明装置の設置作業、メンテナンス作業共に容易な照明装置付き仏壇を提供することができる。
【図面の簡単な説明】
【００２０】
【図１】この出願の考案の実施の形態に係る仏壇の全体的な構成を示す斜視図である。
【図２】同実施の形態に係る仏壇の構成を示す中央断面図（図１のII−II線切断部断面図）である。
【図３】同実施の形態に係る仏壇の構成を示す水平断面図（図２のIII−III線切断部断面図）である。
【図４】同実施の形態に係る仏壇の構成を示す水平断面図（図２のIV−IV線切断部断面図）である。
【図５】同実施の形態に係る仏壇の天板部の構成を説明する一部分解斜視図である。
【図６】同実施の形態に係る仏壇の天板部要部の構成と作用を説明する拡大断面図である。
【考案を実施するための形態】
【００２１】
以下、添付の図面の図１〜図６を参照して、この出願の考案を実施するための最適な形態の構成および作用について、詳細に説明する。
【００２２】
まず図１〜図６は、同実施の形態に係る仏壇の構成と作用を示している。この実施の形態に係る仏壇は、種類としては、一つの例として最近需要が増えている小型の団地サイズのものが選ばれている。
【００２３】
同仏壇の全体的な構成を示す図１〜図３において、まず符号１は、前面側開口部に開閉用の扉２を備えた当該仏壇本体の直方体形状の筐体部を示している。該筐体部１は、底部の底板１１、左右両側の一対の側板１２，１２、上部の天板部１３、背部の背板１４、前部側扉部外周の枠体１０とからなっており、底板１１の上部側には仏壇内の仏具等設置空間３の底部を形成する桟部材（実質的な底板部材）６が設けられている。そして、該桟部材６の上部側には引き出し５が設けられ、該引き出し５の直上部には下棚（奥行き幅大）４、該下棚４の所定寸法上方部には上棚（奥行き幅小）８が設けられている。上棚８の上には、図２、図３に示すように、必要に応じて位牌９などが設置される。
【００２４】
また、符号７，７は、仏具等設置空間部３の左右方向の空間を３つに区切る上下方向２組の中板であり、該中板７，７は、上記上棚８と直交する形で上記下棚４と天板部（下部側の天板）１３との間に固定して設けられており、上記上棚８を支持する作用も果たしている。この中板７，７は、上記仏具等設置空間部３の奥行き寸法の略１／２程度の奥行き幅を有し、その背面側を上記背板１４に近接させた状態で固定されている。
【００２５】
筐体部１の前部側開口部は上述した枠体１０によって囲まれており、その枠体１０の内側に位置し、蝶番１８，１８、１８，１８を介して枠体１０の左右に取り付けられている扉２は、左右各２枚の半体２１,２２、２１,２２を折り曲げ自在に連結して構成されており、この実施の形態では、内側に障子戸のない戸板のみの構成のものとなっている。
【００２６】
一方、上記天板部１３は、上記筐体部（仏壇本体）１１側に固定されている下部側天板１３Ａと、該下部側天板１３Ａの上に着脱可能に重合状態で載置されている上部側天板１３Ｂと、該上部側天板１３Ｂの下面側に取り付けられている照明装置２０と、上記下部側天板１３Ｂに設けられた上記照明装置２０配置用の開口部（上下貫通口）１３１とから構成し、上記下部側天板１３Ａと上部側天板１３Ｂの重合状態において照明装置２０を備えた一枚の天板部（一枚の天板部構造）１３を形成するとともに、上記上部側天板１３Ｂを取り外すことによって照明装置２０の点検を簡単に行うことができるようになっている。
【００２７】
上記下部側天板１３Ａと上部側天板１３Ｂは、略同じ厚さで、同じ形状、同じ寸法の板材で形成されており、２枚を重合した時の厚さ寸法が上記枠体１０の厚さ寸法と等しくなるように構成されている（図２参照）。
【００２８】
上記照明装置２０は、例えば図４および図５に示すように、複数個のＬＥＤ（円形部参照）を所定の間隔を置いて直線的に長く配列し、それをテープ構造のものに形成したものが採用されており、同テープ構造の照明装置２０は、上記上部側天板１３Ｂ下面の後部側に位置して左右両方向に延びて貼設設置されている。この照明装置２０の一端にはＡＣアダプター２２からの電源コード２１が接続されており、それによって点灯駆動（１２Ｖ程度で）されるようになっている。
【００２９】
上記上部側天板１３Ｂ下面の上記照明装置２０の前部側には、上記照明装置２０に沿って左右両方向に延びる所定の深さのスリット（線状の上向き凹溝）１３６が設けられている。
【００３０】
他方、上記下部側天板１３に設けられている上記照明装置配置用の開口部１３１は、上記上部側天板１３Ｂの照明装置２０の設置位置に対応した後部側に位置し、かつ当該照明装置２０を遊嵌するのに十分な前後および左右方向の幅を有する長方形状の開口部（上下貫通口）に形成されている。該開口部１３１の前部側左右両端側には、さらに板状の後述する位置決めおよび係止部材１６を上下方向に嵌装するための左右スリット（貫通スリット）１３２，１３２が側板１２，１２までに亘って設けられている。また、同開口部１３１の一端側後部には、同端部から背面側方向外部に延びる電源コード２１導出用のスリット（有底スリット）１３３が設けられている。
【００３１】
上記板状の位置決めおよび係止部材１６は、例えば図５に示すような形状の半透明なプラスチック板よりなり、例えば図２、図４、図６に示すように、その下端１６ｂ側が上記中板７，７の上端部分に形成された収納溝（下向き凹溝）７１,７１内に収納して支持されるとともに、上部側左右両端部分が上記左右スリット（上下貫通スリット）１３２，１３２に嵌装されて支持され、前後および左右の何れの方向にも確実に固定されるようになっている。
【００３２】
この位置決めおよび係止部材１６は、同収納固定状態において、上記支持構成により、その上端１６ａ側が上記開口部１３１の上部側開口面よりも所定寸法上方に突出している一方、下端１６ｂ側が同開口部１３１の下部側開口面よりも所定寸法下方に突出している（図２、図６参照）。
【００３３】
そして、この状態において、上記照明装置２０を備えた上部側天板１３Ｂが、図２に示すように、下部側天板１３Ａの上に載置重合される。この時に、上記板状の位置決めおよび係止部材１６の上記開口部１３１の上部側開口面よりも所定寸法上方に突出している上端１６ａ部分に対し、上記上部側天板１３Ｂ下面側の上記照明装置２０に沿って左右両方向に延びる所定の深さのスリット（線状の上向き凹溝）１３６の位置を合わせて嵌合させたうえで、相互に重合することによって、確実に左右および前後両方向の位置を合わすことができ、重合が完了した状態では、左右および前後両方向への係止固定機能を果たさせることができる。
【００３４】
また、上記下部側天板１３Ａには、上記開口部１３２の一端側から背面側方向に照明装置２０の電源コード２１を導出するための有底のスリット１３３を設けているから、電源コード２１も同スリット１３３を通して安定した状態で外部に引き出すことができ、上部側天板１３Ｂの取り外しにも容易に外すことができる。
【００３５】
したがって、この図２の通常の仏壇使用状態において、上記照明装置２０におけるいずれかのＬＥＤが玉切れ状態になったりすると、例えば図６のように上部側の天板１３Ｂを持ち上げれば、容易に照明装置２０を備えた上部側天板１３Ｂのみを取り外すことができ、簡単に照明装置２０の交換を行なうことができる。また、交換終了後には、上記のようにして容易に元の状態に取り付けることができる。
【００３６】
このような構成の場合、単にメンテナンスが容易になるだけでなく、製造時においても、上部側天板１３Ｂの下面側に照明装置２０を貼設するだけで良いので、作業が著しく容易になる。上記左右に延びるスリット（線状の上向き凹溝）１３６は、その時の照明装置２０の貼設基準ラインともなる。
【００３７】
また、この実施の形態の場合、上記のように上記位置決めおよび係止部材１６は、上記照明装置２０配置用の開口部１３１の前部側に位置して設けられ、当該開口部１３１の下部側開口面よりも所定寸法下方に突出して支持されている。この下方への突出寸法は、上記中板７，７に形成されている上記収納溝７１，７１の深さによって調節設定されるが、これにより上記照明装置２０の有効な遮蔽機能が実現されている。
【００３８】
また、以上の構成の場合、上記位置決めおよび係止部材１６には、例えば半透明のプラスチック板が採用されていることから、目隠し機能を実現しながらも所望の量の光を透過させることが可能であり、半透明部の模様、色を選定することによりデザインのバリエーションを拡大することができる。
【００３９】
さらに、この実施の形態では、上記下部側天板１３Ａと上部側天板１３Ｂの相互の対向面（例えば四方４か所）には吸着用のマグネット部材１３４，１３４・・、１３５，１３５・・が設けられており（埋設）、該マグネット部材１３４，１３４・・、１３５，１３５・・により、適度な強度で吸着一体化されるようになっている。
【００４０】
したがって、地震その他の衝撃が作用した場合にも上記上部側天板１３Ｂが容易に外れることがない。
【符号の説明】
【００４１】
１は筐体部
２は扉
３は仏具等設置空間
４は下棚
５は引き出し
７は中板
８は上棚
９は位牌
１０は枠体
１１は底板
１２は側板
１３は天板部
１３Ａは下部側天板
１３Ｂは上部側天板
１４は背板
１６は位置決めおよび係止部材
２０は照明装置
１３１は照明装置配置用の開口部
【図１】
0003210652.tif 000003
【図２】
0003210652.tif 000004
【図３】
0003210652.tif 000005
【図４】
0003210652.tif 000006
【図５】
0003210652.tif 000007
【図６】
0003210652.tif 000008